(57)【要約】      （修正有）【課題】  女性の外性器に密着しやすい構造の生理用ナプキンを提供する。【解決手段】  生理用ナプキン１０は、中央対向部４０および側方対向部４５と、曲げ剛性の低い中間変形部４６を有している。股間部に装着されると、境界３４の部分で谷折れとなり、境界３５の部分で山折れとなるように変形し、中央対向部４０に窪み凹部が形成される。外性器は前記窪み凹部内に入り込み、さらに小陰唇２が表面シート２１の凹凸部４１に当接し、凹凸部４１が軽い力で圧縮させられる。よって、生理用ナプキン１０は、外性器から鼠径部４にかけて、身体の凹凸部に密着しやすくなる。【選択図】図４
2007037660.tif 000002
【特許請求の範囲】
【請求項１】
肌側に位置する液透過性の表面シートと、裏側に位置する裏面シートと、表面シートと裏面シートとの間に位置する液吸収層とが設けられた生理用ナプキンにおいて、
女性の外性器に対向する中央対向部と、前記中央対向部の左右両側にそれぞれ位置する側方対向部とを有し、前記中央対向部では、表面シートの最も肌側に近い最表部から液吸収層の表面までの間に圧縮域が設けられており、
肌側表面に所定の圧力を加えたときの圧縮量は、中央対向部が側方対向部よりも大きく、且つ圧縮エネルギーは、前記中央対向部が前記側方対向部よりも低いことを特徴とする生理用ナプキン。
【請求項２】
前記圧縮域は、無加圧時の高さ寸法が５ｍｍ以上であり、前記圧縮域を圧縮するのに必要な圧縮エネルギーは、０．５（Ｎ・ｍ／ｍ２）以下である請求項１記載の生理用ナプキン。
【請求項３】
前記中央対向部の前記最表部に、液吸収層に向けて１９６０Ｐａの圧力を加えたときに、前記圧縮域の高さ寸法が、無圧力時の５０％以下となる請求項１または２記載の生理用ナプキン。
【請求項４】
前記圧縮域は、表面シートが、凹凸賦形されることで形成されている請求項１ないし３のいずれかに記載の生理用ナプキン。
【請求項５】
前記圧縮域では、液吸収層と表面シートとの間に空隙が形成されている請求項１ないし３のいずれかに記載の生理用ナプキン。
【請求項６】
前記圧縮域では、液吸収層と表面シートとの間に、繊維層が設けられている請求項１ないし３のいずれかに記載の生理用ナプキン。
【請求項７】
前記中央対向部とそれぞれの側方対向部との間に、幅方向に間隔を空け且つ縦方向に延びる２つの折れ部が形成されており、それぞれの折れ部で曲げられたときに、中央対向部での液吸収層の表面が、側方対向部での液吸収層の表面よりも低い位置となるように変形可能である請求項１ないし６のいずれかに記載の生理用ナプキン。
【請求項８】
前記２つの折れ部の間に位置する液吸収層の曲げ剛性が、前記中央対向部に位置する液吸収層および前記側方対向部に位置する液吸収層の曲げ剛性よりも低い請求項７記載の生理用ナプキン。
【請求項９】
前記中央対向部とそれぞれの側方対向部との間に、前記中央対向部と側方対向部よりも曲げ剛性の低い所定幅の中間変形部が設けられており、前記中間変形部で曲げられたときに、中央対向部での液吸収層の表面が、側方対向部での液吸収層の表面よりも低い位置となるように変形可能である請求項１ないし６のいずれかに記載の生理用ナプキン。
【請求項１０】
裏面シートが平面となるように展開した状態で、前記中央対向部での液吸収層の表面が、前記側方対向部での液吸収層の表面よりも低い位置にあり、中央対向部では、液吸収層の表面と表面シートとの間に、前記圧縮域を構成する空隙が設けられている請求項１ないし３のいずれかに記載の生理用ナプキン。
【請求項１１】
裏面シートが平面となるように展開した状態で、前記中央対向部での液吸収層の表面が、前記側方対向部での液吸収層の表面よりも低い位置にあり、中央対向部では、液吸収層の表面と表面シートとの間に、前記圧縮域を構成する繊維層が設けられている請求項１ないし３のいずれかに記載の生理用ナプキン。
【請求項１２】
表面シートは、中央領域において伸縮自在である請求項１０または１１記載の生理用ナプキン。
【請求項１３】
側方対向部では、表面シートと液吸収層を一緒に裏面シートに向けて圧縮した圧縮部が形成されている請求項１０ないし１２のいずれかに記載の生理用ナプキン。
【発明の詳細な説明】
【技術分野】
【０００１】
本発明は、女性の外性器の凹凸形状に追従して変形可能な生理用ナプキンに関する。
【背景技術】
【０００２】
生理用ナプキンは、液透過性の表面シートと、液不透過性の裏面シート、および前記表面シートと裏面シートとの間に位置するパルプなどを主体とする液吸収層とを有しているのが一般的である。しかし、パルプを主体とした液吸収層は、全体として剛性が高く、肌側表面から加圧したときに局部的に変形しにくいものであるため、女性の股間部の凹凸形状に合わせて密着させることが困難である。
【０００３】
女性の股間部は、中央に陰裂を挟んで位置する小陰唇が突出し、その両側に大陰唇が突出し、さらに大陰唇の両側部で鼠径部が窪む形状である。そのため、生理用ナプキンの肌側表面を前記股間部の各部位の凹凸形状に追従するように変形させるのは困難である。
【０００４】
以下の特許文献１および特許文献２には、生理用ナプキンの肌側表面の中央部に突出部が形成されており、この突出部が圧縮性と弾性を有する繊維素材などで形成されたものが開示されている。また、特許文献３にも、パルプなどで形成された液吸収層と表面シートとの間に、空隙を有する嵩高の不織布が介在した生理用ナプキンが開示されている。
【０００５】
さらに、特許文献４に記載の生理用ナプキンは、一点から放射状に延びる折り曲げ線を介して三次元的に折り曲げられて、女性の外性器に対向する部分を凸形状としたものが開示されている。
【特許文献１】特表平８−５１１７０８号公報
【特許文献２】特許第３４５９２４９号公報
【特許文献３】特開２００４−１４１６１９号公報
【特許文献４】特許第３５３４７６８号公報
【発明の開示】
【発明が解決しようとする課題】
【０００６】
前記特許文献１と特許文献２に記載の生理用ナプキンでは、中央部に設けられた突出部が外性器に当接することになるが、前述のように外性器は、陰裂と小陰唇および外陰唇などを有する微妙な凹凸形状であるため、凸形状の前記突出部を外性器の凹凸形状に追従するように柔軟に変形させるのは困難である。また、突出部の両側では、生理用ナプキンの肌側表面が低くなっているため、この低い部分での肌側表面と鼠径部との間に隙間が形成されやすい。そのため、生理用ナプキンの肌側表面を伝わって側方の流れる経血の漏れが生じる心配がある。
【０００７】
特許文献３に記載の生理用ナプキンは、肌側表面の中央部がほぼ平坦で、この部分に嵩高な不織布が設けられているため、中央部が外性器の凹凸形状に追従して変形することが可能である。しかし、生理用ナプキン１の肌側表面の全域がほぼ平坦であるため、外性器以外の領域の鼠径部などで、生理用ナプキンと肌との間に隙間が形成される心配がある。
【０００８】
特許文献４に記載の生理用ナプキンは、ナプキン全体を折り曲げて立体形状としているため、股間部のおおまかな形状の変化に対応させることが可能であっても、全体の剛性が高いため、外性器の微妙な凹凸形状に追従させて密着させることは困難である。
【０００９】
本発明は上記従来の課題を解決するものであり、女性の外性器に密着しやすく、さらに股間部の他の領域に対しても密着しやすい構造の生理用ナプキンを提供することを目的としている。
【課題を解決するための手段】
【００１０】
本発明は、肌側に位置する液透過性の表面シートと、裏側に位置する裏面シートと、表面シートと裏面シートとの間に位置する液吸収層とが設けられた生理用ナプキンにおいて、
女性の外性器に対向する中央対向部と、前記中央対向部の左右両側にそれぞれ位置する側方対向部とを有し、前記中央対向部では、表面シートの最も肌側に近い最表部から液吸収層の表面までの間に圧縮域が設けられており、
肌側表面に所定の圧力を加えたときの圧縮量は、中央対向部が側方対向部よりも大きく、且つ圧縮エネルギーは、前記中央対向部が前記側方対向部よりも低いことを特徴とするものである。
【００１１】
本発明の生理用ナプキンは、中央対向部を圧縮したときの変形量が大きく、且つ変形に必要な圧縮エネルギーが低いため、中央対向部が、女性の外性器の陰裂と小陰唇および大陰唇などの凹凸形状に追従して密着しやすくなる。
【００１２】
本発明は、好ましくは、前記圧縮域は、無加圧時の高さ寸法が５ｍｍ以上であり、前記圧縮域を圧縮するのに必要な圧縮エネルギーは、０．５（Ｎ・ｍ／ｍ２）以下である。
【００１３】
さらに、本発明は、前記中央対向部の前記最表部に、液吸収層に向けて１９６０Ｐａの圧力を加えたときに、前記圧縮域の高さ寸法が、無圧力時の５０％以下となることが好ましい。
【００１４】
中央対向部に高さ５ｍｍ以上の圧縮域を有し、しかも圧縮域を変形させるのに必要な圧縮エネルギーが低いため、小陰唇さらには大陰唇の一部がこの圧縮域内に容易に入り込むことができ、中央対向部が外性器に密着しやすくなる。そのため、経血などの排泄液を中央対向部で確実に捕捉して液吸収層に透過させることができるようになる。
【００１５】
例えば、本発明では、前記圧縮域は、表面シートが、凹凸賦形されることで形成されている。または、前記圧縮域では、液吸収層と表面シートとの間に空隙が形成されている。あるいは、前記圧縮域では、液吸収層と表面シートとの間に、繊維層が設けられている。
【００１６】
また、本発明は、前記中央対向部とそれぞれの側方対向部との間に、幅方向に間隔を空け且つ縦方向に延びる２つの折れ部が形成されており、それぞれの折れ部で曲げられたときに、中央対向部での液吸収層の表面が、側方対向部での液吸収層の表面よりも低い位置となるように変形可能であるものとして構成できる。
【００１７】
この場合に、前記２つの折れ部の間に位置する液吸収層の曲げ剛性が、前記中央対向部に位置する液吸収層および前記側方対向部に位置する液吸収層の曲げ剛性よりも低いことが好ましい。
【００１８】
また、本発明は、前記中央対向部とそれぞれの側方対向部との間に、前記中央対向部と側方対向部よりも曲げ剛性の低い所定幅の中間変形部が設けられており、前記中間変形部で曲げられたときに、中央対向部での液吸収層の表面が、側方対向部での液吸収層の表面よりも低い位置となるように変形可能であるものとして構成できる。
【００１９】
前記各発明では、生理用ナプキンが股間部に装着され、大腿部からの圧力や下着の緊迫力によって変形させられたときに、中央対向部での液吸収層の表面が側方対向部での液吸収層の肌側表面よりも低くなり、中央対向部が窪む形状となる。そのため、この窪み内に外性器の主に小陰唇を入り込ませることができ、しかも圧縮域が変形して肌側表面が陰裂や小陰唇さらには大陰唇の一部に密着しやすくなる。この構成では、側方対向部が鼠径部にも密着しやすくなるため、外性器から排泄された経血などが両側方へ流れても生理用ナプキンの外部に漏れにくくなる。
【００２０】
また、本発明は、裏面シートが平面となるように展開した状態で、前記中央対向部での液吸収層の表面が、前記側方対向部での液吸収層の表面よりも低い位置にあり、中央対向部では、液吸収層の表面と表面シートとの間に、前記圧縮域を構成する空隙が設けられているものとして構成できる。
【００２１】
あるいは本発明は、裏面シートが平面となるように展開した状態で、前記中央対向部での液吸収層の表面が、前記側方対向部での液吸収層の表面よりも低い位置にあり、中央対向部では、液吸収層の表面と表面シートとの間に、前記圧縮域を構成する繊維層が設けられているものとして構成できる。
【００２２】
上記各発明においても、生理用ナプキンが股間部に装着された状態で、中央対向部に窪みができ、この窪み内に外性器の主に小陰唇や大陰唇の一部が入り込むことができ、しかも外性器が中央対向部の圧縮域に密着できるようになる。
前記において、表面シートは、中央領域において伸縮自在であることが好ましい。
【００２３】
また、側方対向部では、表面シートと液吸収層を一緒に裏面シートに向けて圧縮した圧縮部が形成されていることが好ましい。
【００２４】
側方対向部の圧縮部において、表面シートが液吸収層にしっかりと固定されているため、窪んでいる中央対向部の上で、表面シートが不用意に弛むことがなく、表面シートが外性器に密着しやすくなる。
【発明の効果】
【００２５】
本発明の生理用ナプキンは、中央対向部が外性器の小陰唇などに密着しやすくなる。また、外性器の側方の鼠径部と生理用ナプキンの肌側表面との密着性を高めることも可能である。
【発明を実施するための最良の形態】
【００２６】
図１３は、女性の外性器の概要を模式的に示す断面図である。女性の外性器は、陰裂１の両側に小陰唇２が突出し、その両側に大陰唇３が突出している。大陰唇３の両側は、外性器と大腿部との境界部となる鼠径部４である。
【００２７】
笹井寛治著、星雲社刊の「日本女性の外性器」によると、開脚姿勢での女性の外性器の寸法の平均値は、小陰唇２の突出高さ寸法ｈ１が１７．０５ｍｍ、大陰唇３の突出高さ寸法ｈ２が８．３４ｍｍ、大陰唇３からの小陰唇２の突出高さｈ３が８．７１ｍｍ、小陰唇２の最大幅寸法ｗ１が３．２ｍｍである。図１３の寸法ｗ２は、２つの小陰唇２，２の幅寸法と小陰唇２，２間の離間距離との和の最大値であるが、前記離間距離は個人差が大きい。大陰唇３の最大幅寸法（鼠径部４から陰裂１までの距離）ｗ３は４８．６８ｍｍである。また、小陰唇２の前後方向の長さ寸法は５６．５ｍｍであり、大陰唇３の縦方向の長さ寸法は７６．０８ｍｍである。
【００２８】
図１は本発明の第１の実施の形態の生理用ナプキン１０を肌側表面を上向きにして示す斜視図、図２は前記生理用ナプキン１０を、その裏面を平面に展開して肌側表面から見た平面図、図３は、図２に示す生理用ナプキン１０を、横方向基準線Ｏｘ−Ｏｘで切断してＩＩＩ矢視方向から見た断面図である。図４（Ａ）（Ｂ）は、前記生理用ナプキン１０を女性の股間部に装着する際の変形状態を説明する断面図である。
【００２９】
図１と図２に示すように、生理用ナプキン１０は、縦方向中心線Ｏｙに沿う縦方向の寸法が最も長い縦長形状であり、縦方向中心線Ｏｙに対して左右対称形状である。本明細書では、生理用ナプキンの身体に向く側を「肌側」または「表面側」と呼び、生理用ナプキン１０の肌側に向けられる外表面を「肌側表面」と呼ぶ。また肌側表面と逆側の面を「裏面」と呼ぶ。また各素材についても、肌側に向けられる面を「表面」と呼び、その逆側の面を「裏面」と呼ぶ。また、縦方向中心線Ｏｙに沿う方向の寸法を縦寸法と呼び、これと直交する方向の寸法を幅寸法と呼ぶ。
【００３０】
生理用ナプキン１０は、曲線形状の前縁部１１と同じく曲線形状の後縁部１２を有している。生理用ナプキン１０は、縦方向中心線Ｏｙでの長さ寸法が１５０〜４５０ｍｍ程度であるが、この実施の形態では前記長さ寸法が２１０ｍｍである。生理用ナプキン１０の両側部の形状は、前方において左右両側に突出した前方フラップ部１３，１３と、前記前方フラップ部１３，１３よりも後方において左右両側に突出した折り返しフラップ部１４，１４と、前記折り返しフラップ部１４，１４よりもさらに後方において、左右両側に突出した後方フラップ部１５，１５とを有している。
【００３１】
図２に示すように、折り返しフラップ部１４，１４を縦方向に二分して縦方向中心線Ｏｙに直交して延びる仮想線が、横方向基準線Ｏｘである。この実施の形態では、横方向基準線Ｏｘにおける生理用ナプキン１０の幅寸法が１６０ｍｍである。生理用ナプキン１０の幅寸法は、折り返しフラップ部１４，１４の基部において最も短くなり、その部分の幅寸法は９５ｍｍである。
【００３２】
生理用ナプキン１０は、折り返しフラップ部１４，１４と肌側表面での構造が身体への装着位置の目安となる。この実施の形態では、縦方向中心線Ｏｙと横方向基準線Ｏｘとの交点付近が、外性器の中心に一致させる目安となる。外性器の中心に対向する部分、すなわち縦方向中心線Ｏｙと横方向基準線Ｏｘとの交点は、縦方向中心線Ｏｙ上に位置する前縁部１１から後方へ１０５ｍｍ程度離れた位置に設定される。
【００３３】
図３に示すように、生理用ナプキン１０は、肌側に位置する液透過性の表面シート２１と、裏面に位置する液遮断性の裏面シート２２と、表面シート２１と裏面シート２２と間に位置する液吸収層３０とを有している。肌側の両側部には、側部シート２３，２３が設けられている。側部シート２３は液透過性であるが、表面シート２１よりも液の透過率の低い素材で形成されている。裏面シート２２の外形は、生理用ナプキン１０の外形と一致している。側部シート２３は、その一部が液吸収層３０を覆う表面シート２１の表面に重ねられており、一方の側部シート２３の対向縁部２３ａと、他方の側部シート２３の対向縁部２３ａとの間に、前記表面シート２１が露出している。対向縁部２３ａと対向縁部２３ａとの対向間隔は６０ｍｍ以上であることが好ましい。
【００３４】
図２に示すように、前記液吸収層３０の平面形状は、前方へ向けて突曲線形状の前端部３０ａと、後方へ向けて突曲線形状の後端部３０ｂと、縦方向中心線Ｏｙと平行に直線状に延びる左右の両側端部３０ｃ，３０ｃを有している。液吸収層３０の前端部３０ａは、生理用ナプキン１０の前縁部１１よりも内側に位置し、液吸収層３０の後端部３０ｂは、生理用ナプキン１０の後縁部１２よりも内側に位置している。また、液吸収層３０の両側端部３０ｃ，３０ｃは、それぞれ生理用ナプキン１０の最も幅寸法が小さい部分よりも内側に位置している。
【００３５】
液吸収層３０の前端部３０ａと生理用ナプキン１０の前縁部１１との間では、表面シート２１と裏面シート２２とがホットメルト型接着剤で接着されており、液吸収層３０の後端部３０ｂと生理用ナプキン１０の後縁部１２との間では、表面シート２１と裏面シート２２とがホットメルト型接着剤で接着されている。液吸収層３０の両側端部３０ｃ，３０ｃよりも外側では、側部シート２３と裏面シート２２とがホットメルト型接着剤で接着されている。前記前方フラップ部１３，１３、折り返しフラップ部１４，１４および後方フラップ部１５，１５は、側部シート２３と裏面シート２２とで構成されている。
【００３６】
液吸収層３０は、パルプ層、パルプと高吸水性ポリマー（ＳＡＰ）との混合体、または前記パルプ層や混合体をティッシュペーパやセルロースシートで包んだもの、あるいはパルプをエアレイド法で積層してアクリル系のバインダーでパルプを接合させたエアーレイドパルプ、親水性繊維で形成されたスパンレース不織布、吸水紙の積層体などで形成することができる。あるいは前記各素材を組み合わせて構成することもできる。この実施の形態では、前記液吸収層３０は、針葉樹クラフトパルプの積層体で、アクリル酸重合体部分ナトリウム塩架橋物などの高吸水性ポリマーを３質量％含むものであり、表面シート２１と対面する表面、裏面シート２２と対面する裏面および両側端部３０ｃ，３０ｃが、親水性のティッシュペーパ（目付け１５ｇ／ｍ２）で包まれて構成されている。なお、図３などでは、前記ティッシュペーパの個別の図示を省略している。
【００３７】
図３に示すように、液吸収層３０は、中央吸収コア３１と、その左右両側部に位置する側方吸収コア３２，３２、および中央吸収コア３１とそれぞれの側方吸収コア３２との間に位置する中間吸収コア３３，３３に区分されている。図２に示すように、中央吸収コア３１と中間吸収コア３３との境界３４、および側方吸収コア３２と中間吸収コア３３との境界３５は、それぞれ縦方向中心線Ｏｙと平行に延びており、境界３４と境界３５は、液吸収層３０の前端部３０ａから後端部３０ｂにかけて、液吸収層３０の全長に渡って設けられている。図２に示すように、中央吸収コア３１は幅寸法がＷａで、液吸収層３０の縦方向の全長にわたって形成されており、側方吸収コア３２は幅寸法がＷｂで、液吸収層３０の縦方向の全長にわたって形成されており、中間吸収コア３３は、幅寸法がＷｃであり、液吸収層３０の縦方向の全長にわたって形成されている。
【００３８】
液吸収層３０の横方向（横方向基準線Ｏｘと平行な方向）での曲げ剛性は、中央吸収コア３１よりも中間吸収コア３３の方が低く、側方吸収コア３２よりも中間吸収コア３３の方が低い。前記生理用ナプキン１０では、中央吸収コア３１と側方吸収コア３２の目付けが、中間吸収コア３３の目付けよりも大きくなっており、中央吸収コア３１と側方吸収コア３２の目付けが３００ｇ／ｍ２であり、中間吸収コア３３の目付けが１００ｇ／ｍ２である。
【００３９】
また、例えば、側方吸収コア３２を圧縮してその曲げ剛性を高くしてもよいし、中間吸収コア３３に多数のスリットや、多数の穴を形成して曲げ剛性を低下させてもよい。この実施の形態では、中央吸収コア３１と、側方吸収コア３２および中間吸収コア３３が一体に連続して形成されているが、これら各部の吸収コアが互い独立して形成されたものであってもよい。
【００４０】
図１と図２に示すように、生理用ナプキン１０の肌側表面には、中央対向部４０が設けられている。中央対向部４０は女性の外性器に対向する部分である。中央対向部４０は、液吸収層３０の中央吸収コア３１の真上に位置しており、その幅寸法Ｗｄは、前記中央吸収コア３１の幅寸法Ｗａと同じか、または幅寸法Ｗａよりもわずかに大きい。図２では、中央対向部４０の縦方向の中心に前記横方向基準線Ｏｘが横断している。中央対向部４０は、女性の外性器に当接できるように、その縦寸法Ｌおよび幅寸法Ｗｄが設定されている。
【００４１】
前述のように、女性の小陰唇の長さの平均は５６．５ｍｍで、大陰唇の長さの平均は７６．０８ｍｍである。中央対向部４０の長さ寸法Ｌは、小陰唇の全長に対向できるように設定することが好ましく、６０ｍｍ以上であることが好ましい。また前記寸法Ｌの上限は特に規定されず、縦方向に十分に長く形成することも可能であるが、例えば寸法Ｌの上限は１２０ｍｍ程度である。この実施の形態では、中央対向部４０の長さ寸法Ｌが８０ｍｍであり、大陰唇の平均長さよりも大きく設定されている。
【００４２】
中央対向部４０の幅寸法Ｗｄは、陰裂１および小陰唇２に対向でき、大陰唇３の少なくとも一部に対向できるように設定される。前記幅寸法Ｗｄは、１５ｍｍ以上であることが好ましく、さらには２０ｍｍ以上であることが好ましい。また幅寸法の上限は、その左右両側に前記中間吸収コア３３と側方吸収コア３２とを配置できるように、例えば５０ｍｍ程度であることが好ましい。この実施の形態では、中央対向部４０の幅寸法が最大部分で３０ｍｍである。
【００４３】
女性の大陰唇３は、陰裂１の前端から後方に向けて幅寸法が徐々に広まり、さらに陰裂１の後端に向けて幅寸法が徐々に狭くなっている。よって、図２に示すように、中央対向部４０の平面的な外形状は、前方が細っており、後方に向かうにしたがって徐々に幅寸法が大きくなり、さらに後方に向かうにしたがって幅寸法が徐々に狭くなる形状である。
【００４４】
表面シート２１は、液透過性で且つドレープ性のある不織布あるいは、多数の液透過孔が形成された樹脂フィルムである。例えば、目付けが１０〜５０ｇ／ｍ２のスルーエアー不織布、メルトブロン不織布、スパンボンド不織布、スパンレース不織布などで形成される。また樹脂フィルムはポリエチレン（ＰＥ）フィルムなどが使用される。この実施の形態では、表面シート２１が、芯部がポリエチレンテレフタレート（ＰＥＴ）樹脂で、鞘部がポリエチレン（ＰＥ）樹脂の芯鞘型複合合成繊維（繊度が２．２ｄｔｅｘ）で形成されたスルーエアー不織布で、目付けが２５ｇ／ｍ２のものが使用されている。
【００４５】
図３に示すように、前記中央対向部４０では、前記表面シート２１に波状の凹凸部４１が形成されている。この凹凸部４１は、表面が歯車構造の一対の成形ロールを噛み合わせ、両成形ロール間に不織布（または開孔樹脂フィルム）を噛み込ませ、８０℃程度の加熱下で、不織布を幅方向へ延伸させて形成したものである。図３に示すように、凸部と凹部は幅方向に向けて交互に形成されており、各凸部の頂部および凹部の底部は縦方向に互いに平行に延びている。また凹部の底部において、表面シート２１と液吸収層３０の表面３０ｅとが接着されていないことが好ましい。ただし部分的に接着されていてもよい。凸部の頂部のピッチおよび凹部の底部のピッチは、０．２〜５ｍｍ程度である。
【００４６】
図３に示すように、中央対向部４０において凹凸部４１を形成している表面シート２１の肌側の最表部と液吸収層３０の表面３０ｅとの間が、高さＨの圧縮域４２とされており、この圧縮域４２において、凹凸部４１が比較的弱い力で圧縮できる。また前記凹凸部４１は、圧縮後に元の形状に復元できる弾性力を有していることが好ましい。この圧縮域４２は、図１３に示すように、大陰唇３からさらに突出している小陰唇２が入り込めるようにしたものである。大陰唇３からの小陰唇２の突出寸法ｈ３は８．７１ｍｍであるため、圧縮域４２の高さ寸法Ｈは３ｍｍ以上であることが好ましく、さらには５ｍｍ以上であることが好ましい。高さ寸法Ｈの上限は特に規定されないが、例えば上限は１５ｍｍ程度である。
【００４７】
図２に示すように、中央対向部４０の左右両側には圧縮部４３，４３が形成されている。図３に示すように、この圧縮部４３は、液吸収層３０の前記側方吸収コア３２と表面シート２１、および側部シート２３の一部を、裏面シート２２に向けて押圧し且つ加熱して、側方吸収コア３２を圧縮したものである。この圧縮部４３が形成されている領域では、側方吸収コア３２の横方向への曲げ剛性がさらに高くなっている。
【００４８】
前記圧縮部４３，４３は縦方向に線状に延びており、その長さ寸法は、前記中央対向部４０の長さ寸法Ｌと同じかあるいはそれよりも長い。また圧縮部４３と圧縮部４３の対向間隔は、横方向中心線Ｏｘにおいて最も狭く、前端方部分と後端部分で、対向間隔が最大となっている。
【００４９】
図２および図３に示すように、前記中央対向部４０の左右両側にあって、前記圧縮部４３を有し且つ側方吸収コア３２を有する部分が側方対向部４５，４５である。また、中央対向部４０とそれぞれの側方対向部４５との間に位置し、前記中間吸収コア３３を有する部分が中間変形部４６，４６である。
【００５０】
側方対向部４５の幅寸法は、側方吸収コア３２の幅寸法Ｗｂで決められ、中間変形部４６の幅寸法は、中間吸収コア３３の幅寸法Ｗｃで決められる。前記幅寸法ＷｂとＷｃは共に５ｍｍ以上であることが好ましく、さらに好ましくは８ｍｍ以上である。この実施の形態では、側方対向部４５の幅寸法Ｗｂが１０ｍｍで、中間変形部４６の幅寸法Ｗｃが１３ｍｍである。中間変形部４６の幅寸法Ｗｃが、側方対向部４５の幅寸法Ｗｂよりも大きいため、生理用ナプキン１０が図４（Ｂ）に示す状態に曲げ変形されやすくなっている。
【００５１】
前記裏面シート２２は、合成樹脂フィルムや液遮断性の不織布で形成されるが、この実施の形態では、坪量が２３．５ｇ／ｍ２のポリエチレン樹脂フィルムで形成されている。また、側部シート２３は、芯部がポリプロピレン（ＰＰ）樹脂で、鞘部がポリエチレン樹脂の芯鞘型複合合成繊維（繊度が２．２ｄｔｅｘ）で形成された目付けが２２ｇ／ｍ２のスパンボンド不織布である。
【００５２】
図３に示すように、裏面シート２２の表面には、ずれ止め用の感圧接着剤層５１が塗工されている。この感圧接着剤層５１は、縦方向中心線Ｏｙに沿って所定の幅寸法で塗工されている。この実施の形態では、感圧接着剤層５１の左右両縁部が、前記液吸収層３０の中央吸収コア３１と中間吸収コア３３との境界３４の真下に位置している。よって、感圧接着剤層５１の幅寸法はＷａである。感圧接着剤層５１が、中央吸収コア３１の真下で且つ同じ幅寸法で設けられていることにより、前記境界３４において、中央対向部４０と中間変形部４６との剛性差を大きくでき、境界３４が折れ部として機能しやすくなる。
【００５３】
また、それぞれの折り返しフラップ部１４においても、裏面シート２２の外面にフラップ部感圧接着剤層５２が設けられている。前記感圧接着剤層５１，５２は、ゴム系のホットメルト型接着剤であり、塗工量は３０ｇ／ｍ２以上であり、この実施の形態では、５０ｇ／ｍ２である。
【００５４】
次に、図４（Ａ）（Ｂ）を参照して、前記生理用ナプキン１０を女性の股間部に装着するときの変形機能について説明する。
【００５５】
図４（Ａ）（Ｂ）には、下着のクロッチ部５５を断面で示している。生理用ナプキン１０は、裏面に設けられた感圧接着剤層５１を介して、下着のクロッチ部５５の内面に接着されて仮止め固定される。また、折り返しフラップ部１４が、クロッチ部５５の縁部を起点としてクロッチ部５５の外面に向けて折り返され、フラップ部感圧接着剤層５２によってクロッチ部５５の外面に仮止め固定される。
【００５６】
図４（Ａ）は、下着のクロッチ部５５に生理用ナプキン１０を固定した状態でこの下着を身体に着用する途中を示している。
【００５７】
下着を着用する際には、クロッチ部５５および生理用ナプキン１０の左右両端部に対して、大腿部から縦方向中心線Ｏｙに向かう挟圧力Ｆが作用する。このとき、中央吸収コア３１と中間吸収コア３３との境界３４が第１の折れ部となって谷折り状態に変形する。あるいは剛性の低い中間吸収コア３３そのものが変形し、中央対向部４０の左右両外側に位置する側方対向部４５，４５が上を向くようにして、生理用ナプキン１０の肌側表面が凹状に変形する。
【００５８】
図４（Ｂ）は、さらに下着を持ち上げて生理用ナプキン１０を、女性の股間部に当接させた状態を示している。
【００５９】
クロッチ部５５および生理用ナプキン１０が、図４（Ｂ）に示す位置まで持ち上げられ、中央対向部４０が外性器に当たると、下向きに凸状となった外性器によって中央対向部４０が下向きに押され、また、下着のクロッチ部５５によって、側方対向部４５，４５が股間部に向けて押し付けられる。その結果、境界３４の第１の折れ部が大きく谷折り状態に変形し、さらに、側方吸収コア３２と中間吸収コア３３との境界３５が第２の折れ部となって山折り状態に変形する。
【００６０】
その結果、中央対向部４０に位置する中央吸収コア３１の表面が、側方対向部４５，４５に位置する側方吸収コア３２，３２の表面よりも下側に位置するようになり、中央吸収コア３１の表面よりも上方で、且つ側方吸収コア３２，３２の間に、高さＨｙで幅寸法Ｗｘの窪み凹部が形成される。大陰唇３の高さ寸法ｈ２の平均値が８．３４ｍｍであり、この大陰唇３の少なくとも一部が前記窪み凹部内に入り込めるようにするためには、前記高さＨｙが５ｍｍ以上であることが好ましい。
【００６１】
図４（Ｂ）に示す着用状態では、突形状の外性器である小陰唇２，２と大陰唇３，３の少なくとも一部が窪み凹部内に入り込むため、左右両側の側方対向部４５，４５が外性器の左右両側部、または鼠径部４に密着しやすくなる。
【００６２】
前記窪み凹部内では、圧縮域４２を形成する波状の凹凸部４１が設けられているため、下向きに突出する小陰唇２，２がこの凹凸部４１に当接すると、凹凸部４１を構成する表面シート２１が圧縮変形する。凹凸部４１に位置する波状の凸部は互いに独立して個別に圧縮するため、凹凸部４１を構成する表面シート２１が左右方向に自由に変形して、小陰唇２，２および大陰唇３に密着できるようになる。
【００６３】
図４（Ｂ）に示すように、圧縮域４２を形成している波状の凹凸部４１が外性器の凹凸に追従して密着するため、外性器から排泄される経血などは、表面シート２１で確実に捕捉され、この表面シート２１を透過して液吸収層３０に吸収保持される。さらに、経血などは主に前記窪み凹部内に与えられ、しかも側方対向部４５，４５が鼠径部４，４などに密着しやすいため、経血などが生理用ナプキン１０の両側部外方へ漏れ出にくくなる。
【００６４】
次に、図４（Ｂ）に示すような着用状態を実現するための、生理用ナプキン１０の好ましい物性について説明する。
【００６５】
中央対向部４０の表面に位置する圧縮域４２の高さＨは前述のように３ｍｍ以上でさらには５ｍｍ以上であることが好ましい。また圧縮域４２は小陰唇２，２などに大きな反発力が作用しないように、軟質に圧縮変形でき、且つ弾性復元力を有することが好ましい。圧縮域４２の圧縮剛性は、カトーテック株式会社製の自動化圧縮試験機「ＫＥＳ  ＦＢ３−ＡＵＴＯ−Ａ」で測定することができる。その測定で得られる線図の概要を図１４に示す。
【００６６】
前記自動化圧縮試験機に、表面シート２１で形成された凹凸部４１を設置する。面積が２ｃｍ２の円形の加圧板により、凹凸部４１に対して垂直方向へＰ０＝４９Ｐａ（０．５ｇ／ｃｍ２）の初期圧力を与え、このときの計測厚みを初期厚み寸法Ｔ０とする。前記初期圧力Ｐ０を起点として、前記圧縮圧力をＰｍ＝２４５０Ｐａ（２５ｇ／ｃｍ２）まで圧縮速度０．０１ｃｍ／ｓｅｃで直線的に高め、前記圧縮圧力Ｐｍを与えたときの前記測定試料の加圧時厚みをＴｍとする。
【００６７】
圧縮エネルギーＷＣは、前記のように加圧したときに得られる図１４の（ｉ）の曲線に対して、ＷＣ＝∫Ｐ・ｄＴ（Ｐは圧力、Ｔは厚み）でＴ０→Ｔｍの間で定積分を行った値（Ｎ・ｍ／ｍ２）である。
【００６８】
前記第１の実施の形態では、圧縮エネルギー（ＷＣ）が０．５（Ｎ・ｍ／ｍ２）以下であることが好ましく、さらに好ましくは０．３（Ｎ・ｍ／ｍ２）以下である。また、下限は０（Ｎ・ｍ／ｍ２）または０．１（Ｎ・ｍ／ｍ２）程度である。
【００６９】
圧縮回復エネルギーＷＣ´は、圧縮圧力をＰｍからＰ０に戻したときの（ｉｉ）の曲線に対して前記と同様の定積分を行った値（Ｎ・ｍ／ｍ２）である。圧縮回復率（ＲＣ値）は、ＷＣ´／ＷＣ×１００（％）で求められる。
【００７０】
前記圧縮域４２の圧縮回復率（ＲＣ値）は５０％以上が好ましい。なお、上限は１００％である。
【００７１】
次に、圧縮域４２の圧縮率は、株式会社大栄科学精機製作所製の不織布厚み計で計測することができる。表面シート２１で形成された凹凸部４１を設置し、無圧力時の高さ寸法Ｈを測定する。次に前記凹凸部４１に対し、１９６０Ｐａ（２０ｇｆ／ｃｍ２）の圧力を与えたときの凹凸部４１の厚みを測定する。加圧時の厚み寸法は、前記初期厚み寸法Ｈの５０％以下であることが好ましく、さらに好ましくは２０％以下である。
【００７２】
中央対向部４０に設けられる圧縮域４２は、前記特性を満たすものであればどのような構成でもよく、例えば表面シート２１をプリーツ加工して立体形状としたものや、表面シート２１をループ状繊維、スライバー、捲縮繊維で形成された嵩高のシートで構成し、高さＨが３ｍｍ以上で好ましくは５ｍｍ以上の圧縮域４２を形成してもよい。
【００７３】
次に、液吸収層３０の曲げ剛性値であるが、横方向へ向けての曲げたときのガーレー剛性値は、中間吸収コア３３が１３ｍＮ以下であることが好ましい。また中央吸収コア３１と中間吸収コア３３とのガーレー剛性値の差、および側方吸収コア３２と中間吸収コア３３とのガーレー剛性値の差は、３．５ｍＮ以上であることが好ましい。また、側方吸収コア３２と中間吸収コア３３とのガーレー剛性値の上限は２５ｍＮ程度が好ましい。
【００７４】
前記ガーレー剛性値は、中央吸収コア３１、側方吸収コア３２、中間吸収コア３３と同じ構成のシートを、横方向へ３８ｍｍ、縦方向へ２５ｍｍとなるように切断し、そのサンプルを株式会社安田精機製作所製のガーレー式柔軟度試験機を用いて測定した値である。
【００７５】
以下本発明の他の実施の形態を説明する。以下の各実施の形態では、第１の実施の形態と同じ構成部分については同じ符号を付して詳しい説明を省略する。また以下の各実施の形態における「圧縮域」の好ましい高さ寸法や、好ましい圧縮特性は、前記第１の実施の形態と同じである。
【００７６】
図５（Ａ）は本発明の第２の実施の形態の生理用ナプキン１１０を示すものであり、図３と同様に、生理用ナプキン１１０を横方向基準線Ｏｘで切断した断面図である。図５（Ｂ）に示す生理用ナプキン１１０Ａは、前記生理用ナプキン１１０の中央対向部の剛性を高めた例を示す断面図である。
【００７７】
図５（Ａ）に示す生理用ナプキン１１０の平面形状は、図１に示す生理用ナプキン０と同じである。表面シート２１と裏面シート２２との間に設けられた液吸収層１３０の平面形状も、図２に示す液吸収層３０と同じである。ただし、第２の実施の形態の液吸収層１３０の断面形状は、前記液吸収層３０と相違している。
【００７８】
図５（Ａ）に示すように、液吸収層１３０は、縦方向中心線Ｏｙに沿って帯状に延びる中央吸収コア１３１と、この中央吸収コア１３１の両側部に隣接して設けられる側方吸収コア１３２，１３２を有している。中央吸収コア１３１の厚み寸法は側方吸収コア１３２の厚み寸法よりも小さく、中央吸収コア１３１の上方には、窪み凹部１３６が形成されている。
【００７９】
また、中央吸収コア１３１の横方向への曲げ剛性は、側方吸収コア１３２の横方向への曲げ剛性よりも低く、そのガーレー剛性値の差は、３．５ｍＮ以上である。図５（Ａ）に示す実施の形態では、中央吸収コア１３１と側方吸収コア１３２との目付けを相違させることで剛性差を生じている。よって、中央吸収コア１３１と側方吸収コア１３２との境界１３４が折れ部として機能する。
【００８０】
この生理用ナプキン１１０は、図２に示す生理用ナプキン１０と同様に幅寸法がＷｄで長さ寸法がＬの中央対向部１４０を有している。この中央対向部１４０では、表面シート１２１に凹凸部１４１が賦形されている。
【００８１】
中央対向部１４０およびその前後では、中央吸収コア１３１の表面１３１ｅと表面シート１２１との間に空隙が形成されている。中央対向部１４０ではこの空隙が圧縮域１４２を構成しており、図５（Ａ）に示すように、中央吸収コア１３１の表面１３ｅから、凹凸部１４１の最表部までの間に高さ寸法Ｈが３ｍｍ以上で好ましくは５ｍｍ以上となっている。この実施の形態では、中央対向部１４０に、液吸収層１３０の窪み凹部１３６が位置し、さらに表面シート１２１に凹凸部１４１が形成されているため、圧縮域１４２の高さ寸法Ｈを８ｍｍ以上とすることも可能である。
【００８２】
図５（Ｂ）に示す生理用ナプキン１１０Ａは、中央吸収コア１３１の剛性を高くして、図６に示すように、生理用ナプキン１１０Ａに対し、大腿部から縦方向中心線Ｏｙに向かう挟圧力が作用したときに、中央吸収コア１３１が横方向に向けて潰れるように変形するのを防止できるようにしている。
【００８３】
図５（Ｂ）に示す生理用ナプキン１１０Ａでは、中央吸収コア１３１の幅方向のほぼ全面において、エンボス加工が施され、中央吸収コア１３１が圧縮されて剛性が高められている。エンボス加工によるコアの圧縮パターンは、ドット状パターンやネット状パターンなどどのようなものであってもよい。または、中央吸収コア１３１が平面的に加圧されて圧縮され、剛性が高められたものであってもよい。または、中央吸収コア１３１の表面１３１ｅに、エアーレイドパルプなどの剛性が高く且つ液吸収機能を発揮する補強シートが重ねられているもの、あるいは中央吸収コア１３１の裏面にエアーレイドパルプなどが重ねられたもの、または、前記エアーレイドパルプなどが中央吸収コア１３１内に埋設されているものであってもよい。なお、前記感圧接着剤層５１の幅寸法を中央吸収コア１３１の幅寸法に合わせることにより、この感圧接着剤層５１の存在によって、中央吸収コア１３１の剛性を高めることもできる。
【００８４】
中央吸収コア１３１の剛性を高めた場合でも、中央吸収コア１３１と側方吸収コア１３２との境界１３４に剛性差を設けることで、前記境界１３４を折れ部として機能させることができる。この場合に、中央吸収コア１３１の横方向での曲げ剛性を、側方吸収コア１３２の横方向の曲げ剛性よりも低くしてもよいし、逆に、中央吸収コア１３１の曲げ剛性を側方吸収コア１３２の曲げ剛性よりも高くしてもよい。いずれにせよ、前記境界１３４を折れ部として機能させるためには、中央吸収コア１３１と側方吸収コア１３２との剛性差は３．５ｍＮ以上であることが好ましい。
【００８５】
図６は、第２の実施の形態の生理用ナプキン１１０が、女性の股間部に装着された状態を示している。
【００８６】
生理用ナプキン１１０の中央対向部１４０が外性器に当接すると、小陰唇２によって表面シート１２１が下方へ押されて、表面シート１２１が窪む凹部１３６内に入り込むように変形する。また、大陰唇３の少なくとも一部も窪み凹部１３６内に入り込む。さらに、中央吸収コア１３１と側方吸収コア１３２との境界１３４が折れ部として機能し、生理用ナプキン１１０が、肌側表面の中央部が窪むように凹状に変形する。そのため、側方対向部１４５，１４５が外性器の両側部や鼠径部４，４に密着しやすくなる。また、図５（Ｂ）に示すように、エンボス加工などで中央吸収コア１３１の曲げ剛性を高めておくと、図６の状態で、中央吸収コア１３１が横方向に縮むような変形を生じにくく、前記境界１３４の部分で生理用ナプキン１１０Ａが折れ変形しやすくなる。
【００８７】
経血などの排泄液は、中央対向部１４０に受け止められるが、図６に示すように外性器が窪み凹部１３６の内部に入り込めるため、経血などを中央吸収コア１３１で吸収しやすくなる。また中央吸収コア１３１と側方吸収コア１３２との境界１３４に段差が形成され、側方対向部１４５が鼠径部４などに密着しやすいため、経血などの横方向への漏れを防止しやすい。
【００８８】
なお、前記表面シート１２１を伸縮性の素材で形成すると、凹凸部１４１を形成しなくても、小陰唇２で押された表面シート１２１が、液吸収層３０の窪み凹部１３６内に入り込みやすくなる。この場合の表面シート１２１は、メルトブロー法で紡糸された連続繊維が互いに融着された伸縮性の不織布、それ自体が弾性伸縮性を有する捲縮繊維を熱風で熱融着させたスルーエアー不織布、ウレタンなどの伸縮性繊維で形成された不織布、弾性伸縮性の樹脂フィルムと不織布とを積層した積層シートなどで形成される。
【００８９】
表面シート１２１を平面状に展開した状態で、表面シート１２１に対して垂直に１９６０Ｐａ（２０ｇ／ｃｍ２）の圧力を与えたときに、表面シート１２１は、縦方向中心線Ｏｙに沿う縦方向の伸びが１１０％以上であり、横方向基準線Ｏｘに沿う横方向への伸びが１１５％以上となることが好ましい。前記範囲であれば、小陰唇２，２で表面シート１２１が下向きに押されたときに、表面シート１２１が液吸収層１３０の窪み凹部１３６内に向けて変形しやすく、外性器を窪み凹部１３６内に入り込ませやすくなる。
【００９０】
図５（Ａ）（Ｂ）に示すように、側方対向部１４５，１４５では、表面シート１２１と側方吸収コア１３２とが一緒に加熱下で加圧されて圧縮部１４３，１４３が形成されている。側方対向部１４５，１４５の圧縮部１４３，１４３において、表面シート１２１が、側方吸収コア１３２の表面にしっかりと固定されているため、窪み凹部１３６の上方に位置する表面シート１２１が外性器の圧力を受けたときに、表面シート１２１が不用意に弛むなどの現象を防止できる。特に、表面シート１２１が伸縮性素材で形成されている場合、この表面シート１２１に外性器が加圧されたときに、両側の圧縮部１４３，１４３に固定された表面シート１２１が十分な張力を有して外性器に当接できるようになる。
【００９１】
図７は、本発明の第３の実施の形態の生理用ナプキン２１０を示す断面図であり、図５（Ａ）（Ｂ）に示す生理用ナプキン１１０のさらなる変形例である。
【００９２】
図７に示す生理用ナプキン２１０では、中央対向部２４０において、液吸収層１３０の窪み凹部１３６内に、低圧力で圧縮可能な繊維層２４１が配置されている。よって、中央対向部２４０には、液吸収層１３０の中央吸収コア１３１の表面の上方に、前記繊維層２４１と、表面シート１２１の凹凸部１４１とで形成された圧縮域２４２が形成されている。前述のように、この圧縮域２４２の高さ寸法、その圧縮特性などの好ましい範囲は、第１の実施の形態と同じである。
【００９３】
前記繊維層２４１は、ループ状繊維、スライバー、捲縮繊維などの繊維を重ねた繊維束、前記繊維で形成された内部空隙の多い不織布、または合成樹脂フィルムを多数の亀裂を有するように引き裂いたスプリットヤーンなどを使用することができる。また繊維層２４１は、親水性を有する天然繊維、または表面に界面活性剤を塗布して親水処理された合成樹脂繊維で形成される。
【００９４】
この生理用ナプキンは、中央対向部２４０において、中央吸収コア１３１の表面と表面シート１２１との間が繊維層２４１で埋められているために、表面シート１２１に与えられた経血などの排泄液が、繊維層２４１を経てスムースに中央吸収コア１３１に移行できる。
【００９５】
図８に示す第３の実施の形態の生理用ナプキン３１０は、図７に示す生理用ナプキン２１０を変形させたものである。この生理用ナプキン３１０は、中央対向部３４０において、液吸収層１３０の窪み凹部１３６内に厚い繊維層２４１が設けられ、この繊維層２４１が、側方対向部１４５よりも肌側に突出している。
【００９６】
この生理用ナプキン３１０は、中央対向部３４０の肌側表面が突出しているため、この中央対向部３４０に対向した小陰唇２，２などが窪み凹部１３６内に入り込んだときに、表面シート１２１と外性器とが確実に密着できるようになる。
【００９７】
図９は、本発明の第５の実施の形態の生理用ナプキン４１０を示す断面図である。
この生理用ナプキン４１０は、図５（Ａ）または図５（Ｂ）に示す第２の実施の形態と同じ液吸収層１３０を有している。表面シート１４２は伸縮性または非伸縮性である。表面シート４２１は、中央吸収コア１３１の表面の両側部に接着固定されているとともに、その中間部に弛み部４２１ａを有している。弛み部４２１ａでは、表面シート４２１の内側に液透過性の内装シート４１３が接着されており、表面シート４２１と内装シート４１３との間に、縦方向に延びる複数の弾性伸縮部材４１４が、縦方向に１．１倍以上伸ばされた状態で接着されている。また、中央対向部４４０よりも前方および後方では、前記弛み部４２１ａが中央吸収コア１３１の表面に扁平状態に折り畳まれて接着固定されている。
【００９８】
この生理用ナプキン４１０は、中央対向部４４０の前方と後方に前記弾性伸縮部材４１４の弾性収縮力が作用して、その間で液吸収層１３０が縦方向へ凹状に変形する。その結果、中央対向部４４０では、図９に示すように表面シート４２１の弛み部４２１ａが立ち上がって、空洞の立体部が形成される。
【００９９】
この実施の形態では、液吸収層１３０の窪み凹部１３６の上に位置する前記立ち上がり部によって圧縮域４４２が形成されている。
【０１００】
図１０は、本発明の第６の実施の形態の生理用ナプキン５１０を示す断面図である。
この生理用ナプキン５１０の基本構造は、図５（Ａ）（Ｂ）に示した第２の実施の形態の生理用ナプキン１１０と同じである。液吸収層１３０は、中央吸収コア１３１と側方吸収コア１３２を有し、中央吸収コア１３１の上部に窪み凹部１３６が形成されている。また、窪み凹部１３６の上方には、表面シート１２１で形成された凹凸部１４１が位置している。よって、中央対向部５４０には、前記窪み凹部１３６と凹凸部１４１とで形成された圧縮域５４２が形成されている。
【０１０１】
この生理用ナプキン５１０では、側方対向部５４５において、裏面シート２２と側方吸収コア１３２とが一緒に上方へ加熱下で加圧されて圧縮部５４３が形成されている。
【０１０２】
この生理用ナプキン５１０が、女性の股間部に着用されると、左右両側から大腿部の挟圧力を受けるが、この挟圧力を受けたときに、圧縮部５４３の部分が折れ部となり、且つ両圧縮部５４３が互いに接近しようとするため、圧縮部５４３と圧縮部５４３との間に位置する低剛性の中央吸収コア１３１が下方向に向けて凸状に湾曲変形しやすくなる。その結果、液吸収層１３０の窪み凹部１３６の深さ寸法が増大し、中央吸収コア１３１の表面から凹凸部１４１の最表面までの高さ寸法、すなわち圧縮域５４２の高さ寸法を増大させることができる。
【０１０３】
そのため、生理用ナプキン５１０は、変形前に薄型になり、股間部に着用したときに、圧縮域５４２の高さ寸法を３ｍｍ以上で好ましくは５ｍｍ以上に設定でき、小陰唇２，２が窪み凹部の圧縮域５４２の内部に入り込みやすくなる。
【０１０４】
図１１は、本発明の第７の実施の形態の生理用ナプキン６１０を示す断面図である。
この生理用ナプキン６１０は、図１０に示す生理用ナプキン５１０と基本的な構造が同じである。生理用ナプキン６１０は、中央吸収コア１３１の裏面側に、縦方向中心線Ｏｙから左右に同じ距離開けた位置に、裏面シート２２と中央吸収コア１３１とを加熱下で加圧した圧縮部６４３，６４３が形成されている。また圧縮部６４３，６４３よりも左右両外側では、裏面シート２２と側方吸収コア１３２を一緒に加熱下で加圧した圧縮部６４４，６４４が形成されている。
【０１０５】
この生理用ナプキン６１０が股間部に装着されると、図１０の生理用ナプキン５１０と同様に、圧縮部６４３と圧縮部６４３の間で、中間吸収コア１３１が下側に向けて凸状に湾曲変形し、窪み凹部１３６上の空間（圧縮域）の高さ寸法を確保できる。
【０１０６】
さらに左右両側から大腿部の挟圧力を受けると、内側の圧縮部６４３で生理用ナプキン６１０が肌側が谷折りとなる状態に変形しやすく、外側の圧縮部６４４で肌側が山折りとなるように変形しやすい。その結果、図４（Ｂ）に示した第１の実施の形態の生理用ナプキン１０と同様に、両側部が鼠径部４に密着しやすくなる。
【０１０７】
図１２は、本発明の第８の実施の形態の生理用ナプキン７１０を示す斜視図である。
この生理用ナプキン７１０は、第１の実施の形態の生理用ナプキン１０と全体の基本構造が同じである。ただし、この生理用ナプキン７１０は、外性器に対向する中央対向部４０の後方に、細長の後方中央対向部７４０が設けられている。この後方中央対向部７４０においても、表面シート２１が波状に形成されている。
【０１０８】
この生理用ナプキン７１０は、中央対向部４０が外性器に密着すると共に、後方中央対向部７４０が外性器よりも後方の会陰部、肛門および臀部の凹凸形状に追従して変形できるようになる。
【図面の簡単な説明】
【０１０９】
【図１】本発明の第１の実施の形態の生理用ナプキンを示す斜視図、
【図２】第１の実施の形態の生理用ナプキンを平面状に展開して肌側から示す平面図、
【図３】生理用ナプキンを図２に示す横方向基準線Ｏｘで切断し、ＩＩＩ矢視方向から見た断面図、
【図４】（Ａ）（Ｂ）は第１の実施の形態の生理用ナプキンが、女性の股間部に装着されるときの変形状態を示す断面図、
【図５】（Ａ）（Ｂ）は、本発明の第２の実施の形態の生理用ナプキンを示す断面図、
【図６】第２の実施の形態の生理用ナプキンが股間部に装着された状態を示す断面図、
【図７】本発明の第３の実施の形態の生理用ナプキンを示す断面図、
【図８】本発明の第４の実施の形態の生理用ナプキンを示す断面図、
【図９】本発明の第５の実施の形態の生理用ナプキンを示す断面図、
【図１０】本発明の第６の実施の形態の生理用ナプキンを示す断面図、
【図１１】本発明の第７の実施の形態の生理用ナプキンを示す断面図、
【図１２】本発明の第８の実施の形態の生理用ナプキンを示す斜視図、
【図１３】女性の外性器の模式図、
【図１４】圧縮エネルギーの測定線図、
【符号の説明】
【０１１０】
１０  生理用ナプキン
２１  表面シート
２２  裏面シート
２３  側部シート
３０  液吸収層
３１  中央吸収コア
３２  側方吸収コア
３３  中間吸収コア
３４  第１の折れ部となる境界
３５  第２の折れ部となる境界
４０  中央対向部
４１  凹凸部
４２  圧縮域
４３  圧縮部
４５  側方対向部
４６  中間変形部
５５  下着のクロッチ部
１１０，１１０Ａ  生理用ナプキン
１３０  液吸収層
１３１  中央吸収コア
１３２  側方吸収コア
１３６  窪み凹部
１４０  中央対向部
１４２  圧縮域
１４３  圧縮部
１４５  側方対向部
２１０  生理用ナプキン
２４０  中央対向部
２４１  繊維層
２４２  圧縮域
３１０  生理用ナプキン
３４０  中央対向部
３４２  圧縮域
４１０  生理用ナプキン
４２１  表面シート
４１４  弾性伸縮部材
４４０  中央対向部
４４２  圧縮域
５１０  生理用ナプキン
５４０  中央対向部
５４２  圧縮域
５４３  圧縮部
５４５  側方対向部
６１０  生理用ナプキン
６４３，６４４  圧縮部
７１０  生理用ナプキン
７４０  後方中央対向部
【図１】
2007037660.tif 000003
【図２】
2007037660.tif 000004
【図３】
2007037660.tif 000005
【図４】
2007037660.tif 000006
【図５】
2007037660.tif 000007
【図６】
2007037660.tif 000008
【図７】
2007037660.tif 000009
【図８】
2007037660.tif 000010
【図９】
2007037660.tif 000011
【図１０】
2007037660.tif 000012
【図１１】
2007037660.tif 000013
【図１２】
2007037660.tif 000014
【図１３】
2007037660.tif 000015
【図１４】
2007037660.tif 000016